(57)【要約】【課題】正しく充電動作を検出可能とし、電池への過充電という負荷を低減しかつ電池からの電力消費をなくして通信を継続可能な携帯電話機を提供する。【解決手段】充電制御回路１２は充電開始時に、スイッチ１５を定電流源側に切替え、定電流での充電を実施する。充電制御回路１２は電池電圧がＶ０（Ｖ）からＶ１（Ｖ）に上昇したことを検出すると、スイッチ１５を定電圧源側に切替え、定電圧充電に切替える。充電制御回路１２は定電圧にて充電中に電流電圧回路が充電電流がＡ２（Ａ）以下になった時に、充電完了としてスイッチ１５をＯＦＦ設定にする。充電制御回路１２は充電動作中に携帯電話回路１１から通信開始の通知がくると、スイッチ１８を電池３側から定電圧源１４側に切替える。【選択図】      図１
2004173408.tif 000002
【特許請求の範囲】
【請求項１】
自端末の電源に用いる電池を充電器で充電可能な携帯電話機であって、前記電池の充電動作と自端末への電力供給動作とを分けて行うように制御する制御手段を有することを特徴とする携帯電話機。
【請求項２】
自端末における動作時の電流と非動作時の電流とが大きく異なることを特徴とする請求項１記載の携帯電話機。
【請求項３】
前記制御手段は、前記電池の充電完了を検出することができない状態において、前記電池の充電動作と自端末への電力供給動作とを分けて行うことを特徴とする請求項１または請求項２記載の携帯電話機。
【請求項４】
前記電池の充電中に自端末の消費電流が著しく増大する場合に自端末への電力供給を前記電池から行わないことを特徴とする請求項１から請求項３のいずれか記載の携帯電話機。
【請求項５】
前記電池への定電流充電を行うための定電流源と、前記電池への定電圧充電を行うための定電圧源と、前記定電流源と前記定電圧源とを切替えて前記電池に接続する第１の切替手段と、前記充電器と前記電池とを切替えて自端末内の回路に接続する第２の切替手段とを含み、
前記制御手段は、前記第１及び第２の切替手段を制御して前記電池の充電動作と自端末への電力供給動作とを分けて行うことを特徴とする請求項１から請求項４のいずれか記載の携帯電話機。
【請求項６】
自端末の電源に用いる電池を充電器で充電可能な携帯電話機の充電方法であって、前記携帯電話機側に、前記電池の電流電圧を検出する第１のステップと、その検出結果に応じて前記電池の充電動作と前記携帯電話機への電力供給動作とを分けて行うように制御する第２のステップとを有することを特徴とする充電方法。
【請求項７】
前記携帯電話機における動作時の電流と非動作時の電流とが大きく異なることを特徴とする請求項６記載の充電方法。
【請求項８】
前記第２のステップは、前記電池の充電完了を検出することができない状態において、前記電池の充電動作と前記携帯電話機自端末への電力供給動作とを分けて行うことを特徴とする請求項６または請求項７記載の充電方法。
【請求項９】
前記電池の充電中に前記携帯電話機の消費電流が著しく増大する場合に前記携帯電話機への電力供給を前記電池から行わないことを特徴とする請求項６から請求項８のいずれか記載の充電方法。
【請求項１０】
前記電池への定電流充電を行うための定電流源と、前記電池への定電圧充電を行うための定電圧源とを第１の切替手段で切替えて前記電池に接続するステップと、第２の切替手段で前記充電器と前記電池とを切替えて前記携帯電話機内の回路に接続するステップとを含み、
前記第２のステップは、前記第１及び第２の切替手段を制御して前記電池の充電動作と前記携帯電話機への電力供給動作とを分けて行うことを特徴とする請求項６から請求項９のいずれか記載の充電方法。
【発明の詳細な説明】
【０００１】
【発明の属する技術分野】
本発明は携帯電話機及びそれに用いる充電方法に関し、特に携帯電話機に用いられる電池の充電方法に関する。
【０００２】
【従来の技術】
従来、携帯電話機においては、図４に示すように、携帯電話の通信を行う携帯電話回路（通信回路）４１と、充電動作を行う充電制御回路４２と、定電流充電を行うための定電流源４３と、定電圧充電を行うための定電圧源４４と、定電流充電と定電圧充電とを切替えるためのスイッチ４５と、充電電流及び電圧を検出するための電流電圧検出回路４６と、ダイオード４７とから構成され、充電器２及び電池３に接続されている。
【０００３】
この携帯電話機４における正常動作時に充電を行う際の電池電圧と充電電流との関係を図５に示し、充電完了直前に通信状態になった場合の電池電圧と充電電流との関係を図６に示す。
【０００４】
一般に、携帯電話機４の充電器２では、初期充電として低電流Ａ０（Ａ）にて定電流充電を開始し、電圧がＶ０（Ｖ）からＶ１（Ｖ）に上昇することを確認し、Ｖ３（Ｖ）での定電圧充電へ移行する。
【０００５】
上記の携帯電話機に用いられる電池の充電方法としては、卓上充電器を使用することで、外部インタフェースを使用したデータ通信を行いながらの充電を可能とする方法（例えば、特許文献１参照）、充電中に受信動作を頻繁に行い、非充電中には電力が供給されていないので、消費電流を低減するために、受信処理の頻度を下げる方法（例えば、特許文献２参照）、充電中に着信があった場合に、充電器から携帯電話を外すと着信応答する方法（例えば、特許文献３参照）、充電中に消費電流の多い動作をした時に充電完了しないうちにタイムアウトしないように、過充電防止タイマを停止させて、タイムアウトしないように制御し、消費電流が多い場合に充電を継続しつづける方法（例えば、特許文献３参照）等がある。
【０００６】
【特許文献１】
特開平８−１３０７７３号公報（第３〜５頁、図１，２）
【特許文献２】
特開平８−１８１７５０号公報（第２，３頁、図１）
【特許文献３】
特開平８−２０４７９０号公報（第３，４頁、図１）
【特許文献４】
特開平１１−２５２８１３号公報（第３〜５頁、図１）
【０００７】
【発明が解決しようとする課題】
上述した従来の携帯電話機に用いられる電池の充電方法では、図５に示すように、Ｖ３（ｖ）での定電圧充電中に充電電流量が減少し、Ａ２（Ａ）以下になったことによって充電完了かどうかを判定している。
【０００８】
しかしながら、従来の携帯電話機では、通信中における消費電流が非通信中の消費電流に対して極めて多く、非通信中に検出可能であった充電電流量のＡ２（Ａ）を検出することが非常に困難である。
【０００９】
この場合には、図６に示すのように、充電電流がＡ２（Ａ）になることなく、Ａ３（Ａ）で収束してしまうため、充電が完了せずに継続され、充電電圧Ｖ２（Ｖ）を印加し続けてしまう。結果として、従来の携帯電話機では、電池に対して負荷をかけることになり、電池の老朽化を加速してしまうという問題がある。この問題は上記の特許文献１〜４の技術では解決することができない。
【００１０】
そこで、本発明の目的は上記の問題点を解消し、正しく充電動作を検出することができ、電池への過充電という負荷を低減しかつ電池からの電力消費をなくして通信を継続することができる携帯電話機及びそれに用いる充電方法を提供することにある。
【００１１】
【課題を解決するための手段】
本発明による携帯電話機は、自端末の電源に用いる電池を充電器で充電可能な携帯電話機であって、前記電池の充電動作と自端末への電力供給動作とを分けて行うように制御する制御手段を備えている。
【００１２】
本発明による充電方法は、自端末の電源に用いる電池を充電器で充電可能な携帯電話機の充電方法であって、前記携帯電話機側に、前記電池の電流電圧を検出する第１のステップと、その検出結果に応じて前記電池の充電動作と前記携帯電話機への電力供給動作とを分けて行うように制御する第２のステップとを備えている。
【００１３】
すなわち、本発明の携帯電話機の充電方法は、充電中に通信状態に移行した場合に電池から外部電源に電力供給源を切替えることで、装置の通信状態を保証しながら、正しい充電完了を検出し、充電を完了させることによって、電池の負荷を低減することが可能となる。
【００１４】
上記のように、本発明の携帯電話機の充電方法では、通信中に電力源を切替えることで、電池への充電動作を正常に行いながら、外部の充電器からの電力を直接使用することで、正しく充電動作を検出でき、電池への過充電という負荷を低減し、電池からの電力消費をなくして通信を継続することが可能となる。
【００１５】
【発明の実施の形態】
次に、本発明の実施例について図面を参照して説明する。図１は本発明の一実施例による携帯電話機の構成を示すブロック図である。図１において、携帯電話機１は携帯電話機としての携帯電話回路（通信回路）１１と、充電回路（図中において１２〜１９の各素子を含む）とからなり、充電器２及び電池３に接続されている。
【００１６】
充電回路は充電動作を行う充電制御回路１２と、定電流充電を行うための定電流源１３と、定電圧充電を行うための定電圧源１４と、定電流充電と定電圧充電とを切り替えるためのスイッチ１５と、充電電流及び電圧を検出するための電流電圧検出回路１６と、ダイオード１７，１９と、携帯電話回路１１への電力供給を電池３からの供給か、定電圧源１４からの供給かを切替えるためのスイッチ１８とから構成されている。
【００１７】
充電制御回路１２は電流電圧検出回路１６の検出結果及び携帯電話回路１１からの通信／非通信の情報を入力し、これらの情報に基づいてスイッチ１５，１８及び定電流源１３を制御する。
【００１８】
図２は本発明の一実施例による充電回路の動作時の電流と電圧との関係を示す図であり、図３は図１の充電制御回路１２による制御動作を示すフローチャートである。これら図１〜図３を参照して本発明の一実施例による充電回路の動作について説明する。
【００１９】
充電制御回路１２は電流電圧検出回路１６の検出結果を基にスイッチ１５及び定電流源１３の電流値を制御することで、図２に示すように、定電流充電と定電圧充電及び充電完了の検出を行う。
【００２０】
充電制御回路１２は充電開始時に（図３ステップＳ１）、スイッチ１５を定電流源側に切替え、Ａ０（Ａ）の定電流での充電を実施する（図３ステップＳ２）。充電制御回路１２は初期充電によって電池電圧がＶ０（Ｖ）からＶ１（Ｖ）に上昇したことを検出すると（図３ステップＳ３）、スイッチ１５を定電圧源側に切替え、定電圧Ｖ３（Ｖ）での定電圧充電に切替える（図３ステップＳ４）。
【００２１】
充電制御回路１２は定電圧にて充電中に電流電圧回路が充電電流がＡ２（Ａ）以下になった時に（図３ステップＳ７）、充電完了としてスイッチ１５をＯＦＦ設定にする（図３ステップＳ８）。
【００２２】
一方、充電制御回路１２は充電動作中に携帯電話回路１１から通信開始の通知がくると（図３ステップＳ５）、スイッチ１８を電池３側から定電圧源１４側に切替える（図３ステップＳ６）。
【００２３】
これによって、携帯電話回路１１の電力消費は電池３からではなく、定電圧源１４側に切替えられ、電池３の充電状態（電流及び電圧）には変化なく、例えば時刻Ｔ３で通信が開始されても、電流電圧検出回路１６で充電電流がＡ２（Ａ）以下になったことも検出することが可能になる。
【００２４】
このように、本実施例では、通信中に電力源を切替えることで、電池３への充電動作を正常に行いながら、外部の充電器２のからの電力を直接使用することで、正しく充電動作を検出することができ、電池３への過充電という負荷を低減し、電池３からの電力消費をなくして通信を継続することが可能となる。
【００２５】
尚、本実施例ではスイッチ１８を用いて通信中の電力源として、充電器２からの入力を定電圧源１４を介して使用しているが、定電圧源出力に切替えることなく、電池３を電力供給源として継続使用し、スイッチ１５を切替えることで、通信状態に入った場合に充電動作を停止する制御のみを行うことも可能である。この場合には、電池３への充電が停止しているため、通信中に電池電力を消費することになる。
【００２６】
【発明の効果】
以上説明したように本発明は、自端末の電源に用いる電池を充電器で充電可能な携帯電話機において、電池の電流電圧を検出し、その検出結果に応じて電池の充電動作と携帯電話機への電力供給動作とを分けて行うように制御することによって、正しく充電動作を検出することができ、電池への過充電という負荷を低減しかつ電池からの電力消費をなくして通信を継続することができるという効果が得られる。
【図面の簡単な説明】
【図１】本発明の一実施例による携帯電話機の構成を示すブロック図である。
【図２】本発明の一実施例による充電回路の動作時の電流と電圧との関係を示す図である。
【図３】図１の充電制御回路による制御動作を示すフローチャートである。
【図４】従来の携帯電話機の構成を示すブロック図である。
【図５】充電完了時の電池電圧と充電電流との関係を示す図である。
【図６】充電完了直前に通信動作になった場合の電池電圧と充電電流との関係を示す図である。
【符号の説明】
１  携帯電話機
２  充電器
３  電池
１１  携帯電話回路
１２  充電制御回路
１３  定電流源
１４  定電圧源
１５，１８  スイッチ
１６  電流電圧検出回路
１７，１９  ダイオード
【図１】
2004173408.tif 000003
【図２】
2004173408.tif 000004
【図３】
2004173408.tif 000005
【図４】
2004173408.tif 000006
【図５】
2004173408.tif 000007
【図６】
2004173408.tif 000008